(57)【要約】【課題】  コンデンサユニットの取付方向を間違えず、かつ、安全に持ちやすく、取付け時に手を挟む危険のない構造のコンデンサユニットを提供する。【解決手段】  コンデンサユニット１は、電解コンデンサ２を突出縁６を具備した上ケース３と下ケース４とで挟み込み保持し、下ケース４と上ケース３の両端の合わせ面１０をネジ６で固定している。コンデンサユニットを電力変換装置内に取付ける際、突出縁６を手掛かりにして取付ける。【選択図】図１
2007123400.tif 000002
【特許請求の範囲】
【請求項１】
電気部品と、電気装置に取付けるための固定部が設けられたケースと、を備え、前記電気部品が前記ケースにより保持される電気機器において、
前記ケースの上面端部に前記ケースの一部を折り曲げ加工することによって形成された把持用の突出縁を備えたことを特徴とする電気機器。
【請求項２】
コンデンサと、電気装置に取付けるための固定部が設けられたケースと、を備え、前記コンデンサが前記ケースにより保持されるコンデンサユニットにおいて、
前記ケースの上面端部に把持用の突出縁を備えたことを特徴とするコンデンサユニット。
【請求項３】
前記ケースは、前記ケース下側の金属製下ケースと前記ケース上側の上ケースとからなり、
前記上ケースの突出縁は、前記上ケースの一部を折り曲げ加工することにより形成される
ことを特徴とする請求項２記載のコンデンサユニット。
【請求項４】
前記ケースは、前記コンデンサを冷却するための冷却孔を備えたことを特徴とする請求項２記載のコンデンサユニット。
【請求項５】
請求項２乃至４いずれかに記載のコンデンサユニットを備えたことを特徴とする電力変換装置。
【発明の詳細な説明】
【技術分野】
【０００１】
本発明は、電気機器の構造に関し、特に電力変換装置に使用するコンデンサユニットの構造に関する。
【背景技術】
【０００２】
従来、電力変換装置に使用するコンデンサユニットは、電解コンデンサとその電解コンデンサを挟み込んで保持するための上下２つの部品で構成されていた（例えば、引用文献１参照）。
【０００３】
一方、電解コンデンサとその電解コンデンサを挟み込んで保持するための上下２つのケースと２つのケースを固定するネジから構成されたコンデンサユニットがあった。以下、図４に基づいて説明する。
図において、１はコンデンサユニットであり、２は電解コンデンサ、３は上ケース、４は下ケース、５は固定用ネジである。
図から明らかなように、従来のコンデンサユニットは、その形状がほぼ対称であった。
【特許文献１】実開平５−７２１２６号公報（第６−９頁）
【発明の開示】
【発明が解決しようとする課題】
【０００４】
従来のコンデンサユニットは、持ちにくい形状の上、重量物のため、組立作業者が搬送する際に手を滑らせやすく危険であった。
また、取付け時に取付ベースとコンデンサユニットの間で手を挟む危険もあった。
さらに、その形状がほぼ対称のため、電力変換装置へ取付ける際、組立作業者が気をつけていないとコンデンサユニットを逆向きに取付けてしまうことがあった。その結果、電解コンデンサの極性が逆向きになり、電解コンデンサが破壊される事故が発生するという問題があった。
本発明は、このような問題点に鑑みてなされたものであり、重量物であるコンデンサユニットを安全に搬送することができ、取付けの際に手を挟んで怪我をすることがなく、取外し容易でメンテナンス性に優れ、組立作業者が取付方向を間違えることがなく、さらには、当該課題を解決すると共に冷却効率が高い構造のコンデンサユニットを提供することを目的とする。
【課題を解決するための手段】
【０００５】
上記問題を解決するために、本発明は次のように構成したものである。
請求項１に記載の発明は、電気部品と、電気装置に取付けるための固定部が設けられたケースと、を備え、前記電気部品が前記ケースにより保持される電気機器において、前記ケースの上面端部に把持用の突出縁を備えたことを特徴とするものである。
また、請求項２に記載の発明は、有極性コンデンサと、電気装置に取付けるための固定部が設けられたケースと、を備え、前記有極性コンデンサが前記ケースにより保持されるコンデンサユニットにおいて、前記ケースの上面端部に把持用の突出縁を備えたことを特徴とするものである。
また、請求項３に記載の発明は、前記ケースは、前記ケース下側の金属製下ケースと前記ケース上側の上ケースとからなり、前記上ケースの突出縁は、前記上ケースの一部を折り曲げ加工することにより形成される
ことを特徴とするものである。
また、請求項４に記載の発明は、前記ケースは、前記有極性コンデンサを冷却するための冷却孔を備えたことを特徴とするものである。
また、請求項５に記載の発明は、請求項２乃至４いずれかに記載のコンデンサユニットを備えたことを特徴とするものである。
【発明の効果】
【０００６】
本発明によると、
（１）重量物であるコンデンサユニットを安全に搬送することができる。
（２）取付けの際に手を挟んで怪我をすることがないので、安全性が向上する。
（３）取外しが容易となるので、メンテナンス性が向上する。
（４）組立作業者が取付方向を間違えることがなくなるので、極性を逆に接続することによる事故を防止することができる。
（５）突出縁の加工と共に形成された穴が冷却孔を兼ねるため冷却効率が向上する。
という、複数の効果がある。
【発明を実施するための最良の形態】
【０００７】
以下、本発明の実施の形態について図を参照して説明する。
【実施例１】
【０００８】
図１は、本発明の第１の実施例を示すコンデンサユニットの斜視図である。図において、１はコンデンサユニットであり、複数の有極性コンデンサを備えている。３００ｋＷの電力変換装置に設置するコンデンサユニットの場合、コンデンサユニットの大きさは、７５０×２３０ｍｍ程度、重量は、２５ｋｇ程度となり、組立作業者にとっては、その取扱いは負担となる。
２は有極性のコンデンサであり、本実施例においては電解コンデンサである。３、４はそれぞれ金属板を折り曲げ加工された上ケース、下ケースである。上ケース３と下ケース４の表面には、電解コンデンサの冷却効率を向上させるための冷却孔が軽量化も兼ねて複数設けられている。また、上ケース３と下ケース４の両端には、それぞれを結合するための合わせ面１０が設けられており、合わせ面同士を固定用ネジ５で固定することで、コンデンサユニット１のケースを構成している。当該合わせ面１０には、コンデンサユニット１を電力変換装置に設けられた取付けベースに固定するための取付け部（本実施例においては切り欠き）が複数箇所（本実施例においては２箇所）設けられている。
【０００９】
上ケース３の合わせ面上方に位置する上端部には、折り曲げ加工によって形成された左右一組の突出縁６が設けられている。当該突出縁６の端部には、前記固定用ネジ５を工具で取付けるための逃げ部（本実施例においては切り欠き）が設けられている。なお、折り曲げ加工による突出縁６の形成とともに、加工前に上ケース３の突出縁６が位置していた部分には、突出縁６と同形状の穴が必然的に形成されるので、これが冷却孔を兼ねることにもなり、冷却効率が向上することとなる。
コンデンサユニット１は、以上のような構成となっており、複数の電解コンデンサ２を上ケース３と下ケース４とで挟み込んで保持し、上ケース３と下ケース４の合わせ面１０を固定用ネジ５で固定することにより組み立てられる。
【００１０】
組立作業者は、前記構成のコンデンサユニット１を電力変換装置内に取付ける際、突出縁６を手掛かりにして把持し、搬送することができる。なお、突出縁６の突出量は、合わせ面１０の突出量と同量であるが、これよりも大きくすることによって、さらに安定して把持することもできる。
従って、重量物であるにもかかわらず、突出縁６を把持することで安定して把持することができるので、手を滑らせることなく、安全に搬送することができる。
【００１１】
図２は、本発明の第１の実施例を示すコンデンサユニットの側面図である。図は、コンデンサユニット１を電力変換装置の取付ベース７に設置する時の状態を示している。
従来は、取付時、上ケース３と下ケース４の合わせ面１０を手掛かりにして、取付ベースに取り付けていたため、コンデンサユニットと取付ベースの間に手を挟む危険があった。
しかし、上ケース３の突出縁６を手掛かりにして取付けられるため、組立作業者は手を挟む危険は解消される。また、メンテナンスの際のコンデンサユニット交換時においても、前記突出縁６を手掛かりにすることで容易に取外しが可能となる。
従って、重量物であるコンデンサユニットを手を挟み込むことなく安全に電力変換装置に着脱することができる。
【００１２】
図３は、本発明の第１の実施例を示すコンデンサユニットの説明図である。図は、コンデンサユニット１を電力変換装置の取付ベース７に逆向きに取付けた時の状態を示している。
従来のコンデンサユニットは、形状がほぼ対称のため、作業者が気をつけていないとコンデンサユニットを逆向きに取付けてしまうことがあった。
しかし、前記の通り搬送時は突出縁６を把持して搬送するため、上下を逆向きに取付ける恐れが極めて少ない。さらに、万一逆向きに取り付けたとしても、突出縁６が取付ベースに引っ掛かるので、下ケース４と上ケース３の両端の合わせ面１０に設けられた取付け部が浮き上がり、物理的に所定の取り付け場所に取付けることができない。
従って、コンデンサユニットを逆向きに取付けてしまうことがなく、電解コンデンサの極性が逆向きになって事故が起こることがないので、安全性が向上する。
【００１３】
以上のように、本発明のコンデンサユニットは、（１）重量物であるコンデンサユニットを安全に搬送することができ、（２）取付けの際に手を挟んで怪我をすることがなく、（３）交換が容易で、メンテナンス性が向上し、（４）極性を逆に接続することによる事故を防止することができ、（５）突出縁の加工と共に形成された穴が冷却孔を兼ねるため冷却効率が向上する、という複数の効果を有するものである。
【００１４】
なお、コンデンサユニットは重量物となる電気機器であれば任意でよく、例えば電源トランス等が考えられる。
また、ケースの材質は金属でなくとも、樹脂としても良い。
【図面の簡単な説明】
【００１５】
【図１】本発明の第１実施例を示すコンデンサユニットの斜視図
【図２】本発明の第１実施例を示すコンデンサユニットの側面図
【図３】本発明の第１実施例を示すコンデンサユニットの説明図
【図４】従来のコンデンサユニットの斜視図
【符号の説明】
【００１６】
１  コンデンサユニット
２  電解コンデンサ
３  上ケース
４  下ケース
５  固定用ネジ
６  突出縁
７  取付ベース
１０  合わせ面
【図１】
2007123400.tif 000003
【図２】
2007123400.tif 000004
【図３】
2007123400.tif 000005
【図４】
2007123400.tif 000006